(57)【特許請求の範囲】
【請求項１】
コネクタを建設機械用車両の構造物に固定するために用いられるクリップにおいて、  前記構造物と係合されるように係合孔が穿設されているコネクタボディと、
前記コネクタボディから延びる連結プレートと、
前記連結プレートの一側面及び他側面からそれぞれ延びる一対のガイドと、
前記一対のガイド内の中心に位置し、前記連結プレートの一側面及び他側面からそれぞれ延びるムービングラッチ固定部と、
前記ムービングラッチ固定部の一側面及び他側面からそれぞれ延び、下面が前記連結プレートと所定の間隔を維持するように形成されるムービングラッチとを備えてなり、
前記ムービングラッチは、
前記ガイドの外部に突出される突出片と、
前記突出片からムービングラッチ固定部まで延びる延長片と、
前記延長片の一端から前記ガイド先端まで突設され、斜めの傾斜面を有する傾斜片とを備えてなり、
前記コネクタは、
前記ガイドに沿って摺動自在な一対のチャンネルと、
前記一対のチャンネル内の中心に位置し、前記コネクタが摺動するにつれて、前記傾斜片の傾斜面に沿って摺動し、前記傾斜片の一側に引っ掛かるように形成される係止突起と、を備えてなることを特徴とするクリップ
【請求項２】
前記ガイドは、
前記連結プレートの一側から延びる一対の第１の垂直板と、
前記垂直板の先端から外方に向かってそれぞれ延びる水平板と、
前記水平板の先端から下方に向かってそれぞれ延び、第１の垂直板よりも小さな高さを有する第２の垂直板と、を備えてなることを特徴とする請求項１に記載のクリップ。
【発明の詳細な説明】
【技術分野】
【０００１】
本発明はコネクタクリップに係り、さらに詳しくは、多方向に動くラッチを用いて組付け効率性の向上及びコスト削減を両立させることができるコネクタクリップに関する。
【背景技術】
【０００２】
一般に、車両には各種の電装部品が用いられ、重機である掘削機にも種々の電気装置が用いられる。
【０００３】
これらの各種の電装部品同士を連結するためにコネクタが用いられ、そして、車両の複数箇所に用いられるコネクタを固定するために、車体や周辺部品に取り付けられるクリップを用いる。
【０００４】
通常の従来のクリップの場合、その構造的な特徴からみて、クリップそのものにムービング（動く）ラッチを適用することが困難であり、コネクタをクリップに締め付けたり、取り外したりするときにコネクタに損傷を与え易く、コネクタを交換しなければならないといった煩雑さ及び損失があった。
【０００５】
また、従来のクリップは、一つのクリップに対して一つのコネクタしか固定できない構造を有し、同じ箇所に２以上のコネクタを固定する場合は、多様なクリップ締付構造が必要となる問題がある。
【０００６】
さらに、適用するクリップをボルトで相対部品に固定するため、材質上の強度を確保すべく、金属と同じ強度を有する素材を用いることになる。そのため、クリップの製造コストが非鉄金属を用いる場合に比べて相対的に高コストの部品になる恐れがある。
【発明の概要】
【発明が解決しようとする課題】
【０００７】
本発明は上述した問題点を解消するために案出されたものであり、その目的は、各種の電線、信号ケーブルなどに含まれるコネクタを建設機械用車両の構造物に固定されるクリップを用いて取り付ける場合、上下左右が同じ形状のコネクタの締付構造及びムービングラッチを用いてコネクタをクリップに締め付けるときに、コネクタの締付構造の損傷を防ぐとともに、容易に取り外すことができる建設機械用のクリップを提供することにある。
また、上下が同じ形状の締付構造を用いて、一つのクリップに二つのコネクタを同時に締め付けることができるだけではなく、左右が同じ形状の締付構造から電装配線の捩れを生じさせず、所望の方向にコネクタをクリップに固定できる構造を提供することにある。
【課題を解決するための手段】
【０００８】
本発明の望ましい一実施形態によれば、コネクタを建設機械用車両の構造物に固定するために用いられるクリップにおいて、前記構造物と係合されるように係合孔が穿設されているコネクタボディと、前記コネクタボディから延びる連結プレートと、前記連結プレートの一側面及び他側面からそれぞれ延びる一対のガイドと、前記一対のガイド内の中心に位置し、前記連結プレートの一側面及び他側面からそれぞれ延びるムービングラッチ固定部と、前記ムービングラッチ固定部の一側面及び他側面からそれぞれ延び、下面が前記連結プレートより所定の間隔を維持するように形成されるムービングラッチと、を含むことを特徴とする多方向に動くラッチを有する建設機械用のクリップが提供される。
【発明の効果】
【０００９】
本発明によれば、第一に、クリップにムービングラッチを適用することにより、コネクタをクリップに組み付けるときに生じ得るコネクタの損傷を防止し、電装配線を交換するなどの損失を抑制し、このクリップが適用された製品の耐久性を向上させることができる。
【００１０】
第二に、同じ形状を有する締付構造及びムービングラッチを上下左右に配設して電装配線の組付性を向上させ、関連部品点数を減らすとともに、製品の品質は保持しながらも製品のコストを低減することができる。
【図面の簡単な説明】
【００１１】
【図１】本発明の一実施形態に係るクリップを示す図であって、（ａ）は斜視図、（ｂ）は平面図、（ｃ）は要部拡大図、（ｄ）は断面図、（ｅ）はＣ−Ｃ線断面図である。
【図２】図１に示すクリップにコネクタが組み付けられた状態を示す斜視図である。
【図３】図２に示すクリップとコネクタとの連結部位を示す断面図である。
【図４】図３に示すムービングラッチの可動空間を示す図である。
【図５】図２に示すクリップとコネクタとの締付状態を示す断面図である。
【発明を実施するための形態】
【００１２】
以下、添付図面に基づき、本発明の望ましい一実施形態に係る多方向に動くラッチを有する建設機械用のクリップについて説明する。ここで、示される線の太さや構成要素の大きさなどは説明の明瞭性及び利便性のためにやや誇張して図示されることもある。
【００１３】
また、後述する用語は、本発明における機能を考慮して定義された用語であり、使用者、運用者の意図または慣例などによって異なってくるため、その定義は、本明細書の全般に亘っての内容を踏まえて解されるべきである。
【００１４】
また、下記の実施形態は本発明の権利範囲を限定するものではなく、本発明の請求範囲に開示された構成要素の例示的な事項に過ぎず、本発明の明細書の全般に亘っての技術思想に含まれ、請求範囲の構成要素において均等物として置換可能な構成要素を有する実施形態は本発明の権利範囲に含まれる。
【００１５】
図１は、本発明の一実施形態に係るクリップを示す図であって、（ａ）は斜視図、（ｂ）は平面図、（ｃ）は要部拡大図、（ｄ）は断面図、（ｅ）はＣ−Ｃ線断面図であり、図２は、図１に示すクリップにコネクタが組み付けられた状態を示す斜視図であり、図３は、図２に示すクリップとコネクタとの連結部位を示す断面図であり、図４は、図３に示すムービングラッチの可動空間を示す図であり、そして図５は、図２に示すクリップとのコネクタとの締付状態を示す断面図である。
【００１６】
本発明の望ましい実施形態によれば、コネクタを建設機械用車両の構造物に固定するのに用いられるクリップ１０において、前記構造物と係合するように係合孔１１ａが穿設されているコネクタボディ１１と、前記コネクタボディ１１から延びる連結プレート１２と、前記連結プレート１２の一側面及び他側面からそれぞれ延びる一対のガイド１３と、前記一対のガイド１３内の中心に位置し、前記連結プレート１２の一側面及び他側面からそれぞれ延びるムービングラッチ固定部１４と、前記ムービングラッチ固定部１４の一側面及び他側面からそれぞれ延び、下面が前記連結プレート１２と所定の間隔を維持するように形成されるムービングラッチ１５と、を備えてなる。
【００１７】
図１に示すように、本発明によるクリップ１０は、コネクタボディ１１と、連結プレート１２と、ガイド１３と、ムービングラッチ固定部１４及びムービングラッチ１５を備えてなる。
【００１８】
図２に示すように、クリップ１０を建設機械などの車両の構造物にボルトなどを用いて固定するために、コネクタボディ１１には係合孔１１ａが穿設されている。コネクタボディ１１は、種々の車両の構造物に固定可能な所定の形状を呈していることが好ましい。
【００１９】
連結プレート１２はコネクタボディ１１から延び、平らな形状を呈している。
【００２０】
ガイド１３は一対からなり、連結プレート１２の上面及び下面からそれぞれ延びるため、全体的に二つのガイド１３が設けられる。
【００２１】
一対のガイド１３の間にはムービングラッチ固定部１４が形成されるが、ガイド１３の長手方向の中心に位置する。
【００２２】
ムービングラッチ１５は、ムービングラッチ固定部１４の一側面及び他側面からガイド１３の先端方向に向かって延びる。その結果、ムービングラッチ固定部１４を基準として両側のムービングラッチ１５は線対称となっている。
【００２３】
図４に示すように、ムービングラッチ１５の下面が連結プレート１２と所定の間隔を維持するように形成されているため、ムービングラッチ１５はこの間隔範囲内において遊動可能である。結果的に、コネクタがクリップ１０に締め付けられる際は、ムービングラッチ１５がコネクタとは反対方向に動いて締付けやすくなり、コネクタがクリップ１０から取り外される際、ムービングラッチ１５を動かすことができて取り外し易くなる。また、ムービングラッチ１５が２つのガイド１３にそれぞれ配設されるため、一つのクリップ１０に２以上の電装配線用のコネクタが固定可能となる。
【００２４】
本発明の望ましい実施形態に係るクリップ１０において、前記ムービングラッチ１５は、前記ガイド１３の外部に突出する突出片１５ａと、前記突出片１５ａからムービングラッチ固定部１４まで延びる延長片１５ｂと、前記延長片１５ｂの一端から前記ガイド１３の先端まで突設され、斜めの傾斜面を有する傾斜片１５ｃと、を備えてなる。
【００２５】
図３に示すように、本発明に係るクリップ１０には４つのムービングラッチ１５が設けられ、それぞれのムービングラッチ１５は、突出片１５ａと、延長片１５ｂと、傾斜片１５ｃと、を備えてなる。
【００２６】
突出片１５ａは、ガイド１３の先端の外部に突出される部分である。突出片１５ａが設けられているため、コネクタを取り外す際に手で突出片１５ａを掴んで遊動させることが可能である。突出片１５ａの先端は手で掴み易いように斜めに形成されることが好ましい。
【００２７】
延長片１５ｂは、突出片１５ａからムービングラッチ固定部１４まで延びる部分である。
【００２８】
傾斜片１５ｃは延長片１５ｂの一端からガイド１３の先端まで延設される部分であり、斜めの傾斜面を有する。すなわち、コネクタがクリップ１０に締め付けられたり、取り外されたりする際、傾斜片１５ｃに沿って摺動が行われる。
【００２９】
本発明の望ましい実施形態に係るクリップ１０において、前記ガイド１３は、前記連結プレート１２の一側から延びる一対の第１の垂直板１３ａと、前記第１の垂直板１３ａの先端から外方にそれぞれ延びる水平板１３ｂと、前記水平板１３ｂの先端から下方にそれぞれ延び、第１の垂直板１３ａよりも小さな高さを有する第２の垂直板１３ｃと、を備えてなる。 
【００３０】
図１に示すように、ガイド１３は一組からなり、第１の垂直板１３ａと、水平板１３ｂと、第２の垂直板１３ｃと、を備えてなる。
【００３１】
第１の垂直板１３ａは、連結プレート１２から延び、一対からなる。
【００３２】
水平板１３ｂは、第１の垂直板１３ａの先端から外方にそれぞれ延びる。
【００３３】
第２の垂直板１３ｃは、第１の垂直板１３ａの先端から延び、第１の垂直板１３ａと平行に形成され、全長は第１の垂直板１３ａよりも短い。
【００３４】
本発明の望ましい実施形態に係るクリップ１０において、前記コネクタは、前記ガイド１３に沿って摺動自在な一対のチャンネルと、前記一対のチャンネル内の中心に位置し、前記コネクタが摺動するにつれて、前記傾斜片１５ｃの傾斜面に沿って摺動し、前記傾斜片１５ｃの一側に引っ掛かるように形成される係止突起２２と、を備えてなる。
【００３５】
コネクタは、チャンネルと係止突起２２とを備えてなる。
【００３６】
チャンネルは、一対からなる。一対のチャンネルの長手方向の中心には係止突起２２が設けられる。係止突起２２は、傾斜片１５ｃの一側に引っ掛かるように傾斜片１５ｃと点対称状に設けられる。すなわち、傾斜片１５ｃが直角三角形状であれば、係止突起２２も直角三角形状を呈し、それぞれの直角三角形の高さに相当する面が互いに面接触される。
【００３７】
図５に示すように、チャンネルはガイド１３と嵌合自在に設けられて、コネクタが摺動可能である。チャンネルがガイド１３に嵌め込まれて摺動する場合、係止突起２２はムービングラッチ１５の上面に沿って摺動し、傾斜片１５ｃの傾斜面を通過した後に、係止突起２２が傾斜片１５ｃの一側に引っ掛かる。
係止突起２２が傾斜片１５ｃの一側と接触するように係止溝が凹設されることが好ましく、この係止溝に係止突起２２が嵌まり込んでムービングラッチ１５と自然に接触することになる。
【００３８】
図２に示すように、本発明のクリップ１０における下端面及び上端面にそれぞれコネクタが取り付けることが可能である。また、下端面及び上端面へのコネクタの取り付けもムービングラッチ１５に沿って行われるため、両方向に摺動することが可能である。結果的に、一つのクリップ１０に二つのコネクタを固定することができ、ムービングラッチ１５を用いてコネクタをクリップ１０に締め付けるときに、コネクタ締付部の損傷を防ぎ、取り外し時にコネクタ締付部の損傷を防ぐことができる。
【００３９】
図４に示すように、コネクタが締付方向４０に移動しながらクリップ１０に組み付けられる場合には、ムービングラッチ１５が可動空間３０の範囲において自然に下降した後に元の位置に戻ることにより、コネクタ締付部の損傷なしに締め付けられることが可能である。
【００４０】
さらに、コネクタが締付方向４０とは反対方向である取外方向５０に動くときには、傾斜片１５ｃ及び係止突起２２の係止構造によってコネクタが取り外されないが、突出片１５ａを用いてムービングラッチ１５を可動空間３０の範囲内においてコネクタとは反対方向に動かす場合には、クリップ１０とコネクタとの締付構造に損傷を与えることなく、コネクタを取り外すことができる。
【００４１】
本発明は、多方向に動くラッチを有する建設機械用のクリップに係り、建設機械産業分野に適用可能である。
【符号の説明】
【００４２】
１０      クリップ
１１      コネクタボディ
１１ａ    係合孔
１２      連結プレート
１３      ガイド
１３ａ    第１の垂直板、
１３ｂ    水平板
１３ｃ    第２の垂直板
１４      ムービングラッチ固定部
１５      ムービングラッチ
１５ａ    突出片
１５ｂ    延長片
１５ｃ    傾斜片
２０      コネクタ
２１      チャンネル
２２      係止突起
３０      可動空間
４０      締付方向
５０      取外方向
【図１】
0005555377.tif 000002
【図２】
0005555377.tif 000003
【図３】
0005555377.tif 000004
【図４】
0005555377.tif 000005
【図５】
0005555377.tif 000006